【手続補正書】
【提出日】平成16年10月14日(2004.10.14)
【手続補正１】
【補正対象書類名】明細書
【補正対象項目名】発明の名称
【補正方法】変更
【補正の内容】
【発明の名称】回転機絶縁特性回復方法
【手続補正２】
【補正対象書類名】明細書
【補正対象項目名】特許請求の範囲
【補正方法】変更
【補正の内容】
【特許請求の範囲】
【請求項１】
回転機の絶縁特性を回転機設置場所で回復させる回転機絶縁特性回復方法において、
前記回転機の分解によって分離された固定子または回転子を液体溜め容器の上に載置し、当該固定子または回転子に付着した塵埃を吸引する塵埃吸引ステップと、
この塵埃吸引ステップにより塵埃を吸引除去した後、前記固定子または回転子に洗浄液を噴射させて洗浄し、洗浄後の液体を前記液体溜め容器に溜める洗浄ステップと、
この洗浄ステップで洗浄された前記固定子または回転子の周囲を第１の被覆体で被覆する第１被覆体設置ステップと、
この第１被覆体設置ステップにより前記被覆体で被覆された前記固定子または回転子を乾燥させる第１乾燥ステップと、
この第１乾燥ステップにより乾燥された前記固定子または回転子に被覆されている前記第１の被覆体を除去する被覆体除去ステップと、
この被覆体除去ステップにより前記第１の被覆体を除去した前記固定子または回転子にワニスを塗布するワニス塗布ステップと、
このワニス塗布ステップによりワニスを塗布した前記固定子または回転子の周囲を第２の被覆体で被覆する第２被覆体設置ステップと、
この第２被覆体設置ステップにより前記第２の被覆体が被覆された前記固定子または回転子に塗布された前記ワニスを乾燥させる第２乾燥ステップと
を有することを特徴とする回転機絶縁特性回復方法。
【請求項２】
請求項１に記載の回転機絶縁特性回復方法において、
前記洗浄液は、水またはアルコール水溶液であり、
また、前記第１乾燥ステップは、
前記第１被覆体設置ステップにより前記第１の被覆体が被覆された固定子または回転子に熱風を送出することにより前記固定子または回転子を乾燥させる熱風乾燥ステップであることを特徴とする回転機絶縁特性回復方法。
【請求項３】
請求項１に記載の回転機絶縁特性回復方法において、
前記洗浄液の温度は、５０度以上９０度以下としたことを特徴とする回転機絶縁特性回復方法。
【請求項４】
請求項１に記載の回転機絶縁特性回復方法において、
前記洗浄ステップは、
前記塵埃吸引ステップにより塵埃を吸引された前記固定子または回転子に水を噴射させて洗浄する水洗浄ステップと、
前記水洗浄ステップで洗浄した前記固定子または回転子にアルコール水溶液を噴射させて洗浄するアルコール水溶液洗浄ステップと
からなることを特徴とする回転機絶縁特性回復方法。
【請求項５】
請求項１に記載の回転機絶縁特性回復方法において、
前記第１乾燥ステップと第２乾燥ステップとは、前記固定子のコイルに通電し、当該通電により発生するジュール熱により前記固定子を乾燥させる通電乾燥ステップであることを特徴とする回転機絶縁特性回復方法。
【請求項６】
回転機の絶縁特性を回転機設置場所で回復させる回転機絶縁特性回復方法において、
前記回転機の分解によって分離された固定子を液体溜め容器の上に載置し、当該固定子に付着した塵埃を吸引する塵埃吸引ステップと、
この塵埃吸引ステップにより塵埃を吸引除去した後、前記固定子に洗浄液を噴射させて洗浄し、洗浄後の液体を前記液体溜めの容器に溜める洗浄ステップと、
この洗浄ステップで洗浄した前記固定子コイルに通電し、当該通電によりジュール熱を発生させ、当該ジュール熱により前記固定子を乾燥させる第３乾燥ステップと、
この第３乾燥ステップにより乾燥させた前記固定子にワニスを塗布するワニス塗布ステップと、
このワニス塗布ステップによりワニスを塗布した前記固定子コイルに通電し、当該通電によりジュール熱を発生させ、当該ジュール熱により前記固定子に塗布されたワニスを乾燥させる第４乾燥ステップと
を有することを特徴とする回転機絶縁特性回復方法。
【手続補正３】
【補正対象書類名】明細書
【補正対象項目名】０００１
【補正方法】変更
【補正の内容】
【０００１】
【発明の属する技術分野】
本発明は、例えば昇降機に用いられる電動機（回転機）の特性、例えば、絶縁特性を電動機の設置場所で回復する回転機絶縁特性回復方法に関する。
【手続補正４】
【補正対象書類名】明細書
【補正対象項目名】００２２
【補正方法】変更
【補正の内容】
【００２２】
本発明は、上記事情を考慮してなされたもので、回転機の設置場所で短時間に安全且つ低コストで回転機の絶縁特性を回復させる回転機絶縁特性回復方法を提供することを目的とする。
【手続補正５】
【補正対象書類名】明細書
【補正対象項目名】００２３
【補正方法】変更
【補正の内容】
【００２３】
【課題を解決するための手段】
上記課題を解決するために回転機の絶縁特性を回転機設置場所で回復させる本発明に係る回転機絶縁特性回復方法は、回転機の分解によって分離された固定子または回転子を液体溜め容器の上に載置し、当該固定子または回転子に付着した塵埃を吸引する塵埃吸引ステップと、この塵埃吸引ステップにより塵埃を吸引除去した後、固定子または回転子に洗浄液を噴射させて洗浄し、洗浄後の液体を液体溜め容器に溜める洗浄ステップと、この洗浄ステップで洗浄された固定子または回転子の周囲を第１の被覆体で被覆する第１被覆体設置ステップと、この第１被覆体設置ステップにより第１の被覆体で被覆された固定子または回転子を乾燥させる第１乾燥ステップと、この第１乾燥ステップにより乾燥された固定子または回転子に被覆されている第１の被覆体を除去する被覆体除去ステップと、この被覆体除去ステップにより第１の被覆体を除去した固定子または回転子にワニスを塗布するワニス塗布ステップと、このワニス塗布ステップによりワニスを塗布した固定子または回転子の周囲を第２の被覆体で被覆する第２被覆体設置ステップと、この第２被覆体設置ステップにより第２の被覆体が被覆された固定子または回転子に塗布されたワニスを乾燥させる第２乾燥ステップとを有する回転機絶縁特性回復方法である。
【手続補正６】
【補正対象書類名】明細書
【補正対象項目名】００２４
【補正方法】変更
【補正の内容】
【００２４】
このように、回転機の設置場所で、液体溜め容器の上に載置した固定子または
回転子に付着した塵埃を吸引し、塵埃の吸引後に固定子または回転子に付着した塵埃を吸引し、塵埃の吸引後に固定子または回転子に付着した塵埃を洗浄液で洗浄し、洗浄した固定子または回転子に絶縁処理であるワニス処理を行うことが出来る。従って、回転機の設置場所で、短時間に安全且つ低コストで、低下した回転機の絶縁特性を回復させることが出来る。
【手続補正７】
【補正対象書類名】明細書
【補正対象項目名】００２５
【補正方法】変更
【補正の内容】
【００２５】
また、本発明に係る回転機絶縁特性回復方法は、回転機の分解によって分離された固定子を液体溜め容器の上に載置し、当該固定子に付着した塵埃を吸引する塵埃吸引ステップと、この塵埃吸引ステップにより塵埃を吸引除去した後、固定子に洗浄液を噴射させて洗浄し、洗浄後の液体を液体溜めの容器に溜める洗浄ステップと、この洗浄ステップで洗浄した固定子コイルに通電し、当該通電によりジュール熱を発生させ、当該ジュール熱により固定子を乾燥させる第３乾燥ステップと、この第３乾燥ステップにより乾燥させた固定子にワニスを塗布するワニス塗布ステップと、このワニス塗布ステップによりワニスを塗布した固定子コイルに通電し、当該通電によりジュール熱を発生させ、当該ジュール熱により固定子に塗布されたワニスを乾燥させる第４乾燥ステップとを有する回転機絶縁特性回復方法である。
【手続補正８】
【補正対象書類名】明細書
【補正対象項目名】００２６
【補正方法】変更
【補正の内容】
【００２６】
これにより、固定子のコイルに通電することによって、固定子を乾燥させるので、回転機の電源をそのまま使用することが出来、乾燥用の熱源および被覆体を不要とすることができる。
【手続補正９】
【補正対象書類名】明細書
【補正対象項目名】００２８
【補正方法】変更
【補正の内容】
【００２８】
図１〜図９は、本発明に係る回転機絶縁特性回復方法の一実施の形態として電動機の絶縁特性を回復する電動機絶縁特性回復方法を説明する図である。
【手続補正１０】
【補正対象書類名】明細書
【補正対象項目名】００６０
【補正方法】変更
【補正の内容】
【００６０】
【発明の効果】
以上、詳述したように本発明によれば、回転機の設置場所で短時間に安全且つ低コストで回転機の絶縁特性を回復させる回転機絶縁特性回復方法を提供できる。